(57)【特許請求の範囲】
【請求項１】
少なくとも予め設定された時間点灯するライトと、
移動体の動きを検知するセンサと、
前記移動体の動きが検知された場合に、前記ライトを点灯させるプロセッサと、を備え、
前記プロセッサは、
前記ライトの点灯に応じて前記ライトの点灯時間の計測を開始し、その後、前記移動体の動きが検知されなくなった場合に、前記移動体が検知されなくなってから前記ライトを消灯させるまでの前記移動体の非検知状態の継続時間を示す消灯遅延時間の計測を開始し、
前記消灯遅延時間の計測値が前記ライトの点灯時間の設定値に対応付けられた消灯遅延時間の設定値を超え、かつ、前記ライトの点灯時間の計測値が前記予め設定された時間を超えた場合に、前記ライトを消灯させる、
センサーライト。
【請求項２】
請求項１に記載のセンサーライトであって、
前記消灯遅延時間の設定値を前記ライトの点灯時間の設定値と対応付けて記憶するメモリ、をさらに備え、
前記プロセッサは、前記ライトの点灯時間の設定値を読み出すことで、前記消灯遅延時間の設定値を取得する、
センサーライト。
【請求項３】
請求項２に記載のセンサーライトであって、
前記消灯遅延時間の設定値は、前記ライトの点灯時間の設定値に応じて異なる時間に設定される、
センサーライト。
【請求項４】
請求項１に記載のセンサーライトであって、
前記プロセッサは、前記移動体が検知されなくなった時点における前記ライトの点灯時間の計測値の所定割合の値を前記消灯遅延時間の設定値として取得する、
センサーライト。
【請求項５】
請求項１に記載のセンサーライトであって、
前記プロセッサは、前記消灯遅延時間の計測値が前記消灯遅延時間の設定値を超えたと判断した後、前記ライトの点灯時間の計測値が前記予め設定された時間を超えたか否かを判断する、
センサーライト。
【発明の詳細な説明】
【技術分野】
【０００１】
本発明は、移動体の動きを検知すると点灯するセンサーライトに関する。
【背景技術】
【０００２】
従来、例えば防犯用途の商品として、夜間等において監視エリアに入っている移動体（例えば人物）の動きを感知すると、点灯することで威嚇するセンサーライトが知られている。
【０００３】
また、移動体の動きを検知して点灯する照明機器に関する先行技術として、例えば特許文献１の照明制御装置が知られている。特許文献１の照明制御装置は、所定時間内の人体の検知回数の多寡によって、照明負荷の点灯保持時間を選択する。この照明制御装置は、人が頻繁に出入りする特定の場所（例えばトイレ）を照明するものであり、点灯する時間を可変して無駄な照明を防止することができる。
【先行技術文献】
【特許文献】
【０００４】
【特許文献１】特開２００１−２２３０９２号公報
【発明の概要】
【発明が解決しようとする課題】
【０００５】
特許文献１の照明制御装置は、点灯した後、点灯保持時間の期間に人の動作を検知しなかった場合に消灯するものである。このため、特許文献１の構成では、点灯保持時間が短いと、点灯直後に人がいなくなった場合にすぐに消灯するので、照明の利便性が低下してしまい、不便である。
【０００６】
一方、点灯保持時間を長く設定してしまうと、点灯保持時間の期間に人の動作を検知しなかった場合に消灯するために、長い間人がいない場合にしか消灯しないことになり、照明制御装置の消費電力が増大してしまう。例えば設置場所等の影響により電池駆動で動作させる場合に、消費電力の増大は使用上、差し障りがある。
【０００７】
本発明は、上述した従来の状況に鑑みて案出され、ある程度の期間においてライトを点灯することと、消費電力の増大を抑制してできるだけ早くライトを消灯することを両立し、設定された点灯時間が経過した時、移動体の動きが検知されなくなっても、すぐさま消灯してしまうことを防止するセンサーライトを提供することを目的とする。
【課題を解決するための手段】
【０００８】
本発明は、少なくとも予め設定された時間点灯するライトと、移動体の動きを検知するセンサと、前記移動体の動きが検知された場合に、前記ライトを点灯させるプロセッサと、を備え、前記プロセッサは、前記ライトの点灯に応じて前記ライトの点灯時間の計測を開始し、その後、前記移動体の動きが検知されなくなった場合に、前記移動体が検知されなくなってから前記ライトを消灯させるまでの前記移動体の非検知状態の継続時間を示す消灯遅延時間の計測を開始し、前記消灯遅延時間の計測値が前記ライトの点灯時間の設定値に対応付けられた消灯遅延時間の設定値を超え、かつ、前記ライトの点灯時間の計測値が前記予め設定された時間を超えた場合に、前記ライトを消灯させる、センサーライトを提供する。
【発明の効果】
【０００９】
本発明によれば、ある程度の期間においてライトを点灯することと、消費電力の増大を抑制してできるだけ早くライトを消灯することを両立し、設定された点灯時間が経過した時に移動体の動きが検知されなくなっても、すぐさま消灯してしまうことを防止することができる。
【図面の簡単な説明】
【００１０】
【図１】本実施形態のセンサーライトが組み込まれた監視カメラシステムのシステム構成の一例を示す図
【図２】本実施形態の監視カメラシステムにおける親機の内部構成の一例を示すブロック図
【図３】本実施形態の監視カメラシステムにおける子機の内部構成の一例を示すブロック図
【図４】本実施形態の監視カメラシステムにおけるカメラの内部構成の一例を示すブロック図
【図５】本実施形態の監視カメラシステムにおけるセンサの内部構成の一例を示すブロック図
【図６】本実施形態の監視カメラシステムにおけるスマートフォンの内部構成の一例を示すブロック図
【図７】本実施形態の監視カメラシステムにおけるスマートプラグの内部構成の一例を示すブロック図
【図８】本実施形態のセンサーライトの内部構成の一例を示すブロック図
【図９】本実施形態のセンサーライトの外観の一例を示す斜視図
【図１０】本実施形態のセンサーライトにおける設定情報テーブルの登録内容の一例を示す図
【図１１】本実施形態のセンサーライトにおける消灯遅延時間テーブルの登録内容の一例を示す図
【図１２】本実施形態のセンサーライトにおけるライト消灯中の動作手順の一例を説明するフローチャート
【図１３】本実施形態のセンサーライトにおけるライト点灯中の動作手順の一例を説明するフローチャート
【発明を実施するための形態】
【００１１】
以下、適宜図面を参照しながら、本発明に係るセンサーライトを具体的に開示した実施形態（以下、本実施形態という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１２】
以下、本実施形態のセンサーライトは、例えばユーザの自宅の敷地内（例えば屋内や、庭等の敷地内の屋外も含む）に設置される監視カメラシステムに適用されるものとして説明する。但し、本実施形態のセンサーライトは、ユーザの自宅の敷地内の防犯用途に限定されず、店舗、工場、オフィス等の事業所のうちいずれかにおける防犯用途として使用されてもよいことは言うまでもない。また、本実施形態のセンサーライトは、防犯目的として使用されず、設置場所を行き来する人に対する使い勝手を向上するために使用されるものであっても構わない。
【００１３】
なお、本発明は、センサーライトの装置カテゴリに限定されず、センサーライトにおけるライトの点灯動作を規定した点灯制御方法、センサーライトにおけるライトの消灯動作を規定した消灯制御方法、又はセンサーライトにおけるライトの点灯及び消灯を含む制御を規定したライト制御方法として表現することも可能である。
【００１４】
図１は、本実施形態のセンサーライト９０が組み込まれた監視カメラシステム５のシステム構成の一例を示す図である。監視カメラシステム５は、例えば宅内８に設置されており、固定電話機の親機１０、２台の子機２０Ａ、２０Ｂ、２台のカメラ３０（例えば屋内カメラ３０Ａ，監視カメラ３０Ｂ）、各種のセンサ４０（例えば人感センサ４０Ａ，４０Ｂ，煙センサ４０Ｃ，開閉センサ４０Ｄ）、スマートプラグ８０、センサーライト９０、スマートフォン５０及び無線ルータ６０から構成される。なお、この監視カメラシステム５の構成は一例であり、種々の態様に変更可能である。
【００１５】
親機１０は、監視カメラシステム５における各種の機器との通信に関するゲートウェイとしての役割を有する。つまり、親機１０は、監視カメラシステム５の全体の動作を制御する制御装置であり、例えばＤＥＣＴ（Digital Enhanced Cordless Telecommunications）の通信方式を用いて、子機、カメラ、センサ等と通信可能に接続される。また、親機１０は、無線ＬＡＮを用いた無線ルータ６０を介してインターネット６５（ネットワーク）に接続される。また、親機１０は、有線で固定電話網８５に接続され、子機２０Ａ，２０Ｂと他の固定電話機８００との間で通話を可能となるための仲介処理を行う。また、親機１０は、他の固定電話機８００との間で直接に通話を行っても良い。また、親機１０は、差込口１０ａに挿入された子機２０Ａを充電する機能を有する。
【００１６】
子機２０Ａ，２０Ｂは、ＤＥＣＴの通信方式で親機１０と接続され、親機１０と通話可能である。特に、２台の子機２０Ａ，２０Ｂを区別する必要が無い場合、子機２０と総称する。
【００１７】
各種のセンサ４０（例えば人感センサ４０Ａ，４０Ｂ，煙センサ４０Ｃ，開閉センサ４０Ｄ）は、ＤＥＣＴの通信方式で親機１０と接続される。ここでは、センサとして、窓の開閉を検出する開閉センサ４０Ｄ、煙を感知する煙センサ４０Ｃ、及び赤外線によって人物を感知する人感センサ４０Ａ、４０Ｂが用いられる。特に、これらのセンサの種類を区別する必要が無い場合、センサ４０と総称する。また、後述するように、カメラ３０に内蔵された赤外線センサ３１３（図４参照）も、人感センサとして用いられる。
【００１８】
２台のカメラ（例えば屋内カメラ３０Ａ，監視カメラ３０Ｂ）は、通話機能を有し、ＤＥＣＴの通信方式で親機１０と接続されて、子機２０Ａ，２０Ｂとの間で通話が可能である。ここでは、カメラとして、屋外を撮像する監視カメラ３０Ｂ、及び宅内８を撮像する屋内カメラ３０Ａが用いられる。特に、カメラの種類を区別する必要が無い場合、カメラ３０と総称する。
【００１９】
スマートプラグ８０は、ＤＥＣＴを用いた無線通信機能を有し、ＤＥＣＴの無線通信方式を用いて親機１０と接続される。スマートプラグ８０は、親機１０から送信される指示に従い、スマートプラグ８０自身に接続された各種の電気機器（例えばエアーコンディショナ、照明器具、カメラ３０、センサ４０）に電力を供給する商用交流電源又は直流電源の通電又は遮断を切り替える。スマートプラグ８０の詳細については後述する。
【００２０】
センサーライト９０は、監視エリア（例えば宅内の庭、玄関）に居る人物の動きを検知し、夜間等で周囲が暗いと、点灯して監視エリアの周囲を照明する。なお、センサーライト９０の輝度は、監視エリアを明るく照明できる程度に高くてもよいし、警告灯として使える程度に低くてもよい。センサーライト９０は、ＤＥＣＴを用いた無線通信機能を有し、ＤＥＣＴの無線通信方式を用いて親機１０と接続される。センサーライト９０は、親機１０を介してスマートフォン５０からセンサーライト９０の動作条件（以下、「シナリオ」という場合がある）を任意に設定可能である。センサーライト９０の詳細については後述する。
【００２１】
スマートフォン５０は、無線ＬＡＮを用いた無線ルータ６０を介して親機１０と接続され、３Ｇ（第３世代）や４Ｇ（第４世代）等の各種の通信方式を用いた携帯電話網７５を介して、他の携帯電話機７０や不図示の他のスマートフォン等と接続される。
【００２２】
図２は、本実施形態の監視カメラシステム５における親機１０の内部構成の一例を示すブロック図である。親機１０は、制御部１０９と、記憶部１０３と、操作部１０５と、表示部１０６とを含む構成である。親機１０は、各種の入力操作を受け付け、また、表示部１０６に画像等の情報を表示する。制御部１０９は、呼制御部１１０及び音声ストリーム処理部１１２を内蔵し、通話の呼制御や音声データの処理等を行う。
【００２３】
また、親機１０は、画像メモリ制御部１１５と、画像メモリ１１６とを有し、カメラ３０で撮像されかつカメラ３０から転送された画像データ等を受信して画像メモリ１１６に記憶する。
【００２４】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２５】
また、親機１０は、ＤＥＣＴプロトコル制御部１０８と、ＤＥＣＴ無線Ｉ／Ｆ部１０７とを有し、ＤＥＣＴ（Digital Enhanced Cordless Telecommunications）の無線通信方式を用いて、子機２０、センサ４０、カメラ３０、スマートプラグ８０及びセンサーライト９０との間でそれぞれの無線接続、無線通信を行う。
【００２６】
また、親機１０は、音声バス１１７と、音声入出力制御部１０４と、スピーカ１２９と、マイク１２８とを有し、外部に対して音声の入出力を行う。
【００２７】
また、親機１０は、固定電話回線Ｉ／Ｆ部１０１を有し、固定電話網８５に接続された外部の固定電話機８００と通話可能である。なお、上述したように、親機１０は、固定電話網８５に接続された外部の固定電話機８００と子機２０Ａ，２０Ｂとの間で通話が可能となるように通話時における音声データの各種処理を制御してもよい。
【００２８】
また、親機１０は、子機／携帯端末充電部１２６を有し、差込口１０ａに挿入された子機２０或いはスマートフォン５０を充電する。
【００２９】
また、親機１０は、ＵＳＢ通信Ｉ／Ｆ部１２７を有し、ＵＳＢ（Universal Serial Bus）規格のインタフェースを有する機器やメモリ等とデータを送受信する。
【００３０】
また、親機１０は、各種のセンサ４０（例えば人感センサ４０Ａ，４０Ｂ，煙センサ４０Ｃ，開閉センサ４０Ｄ）と複数のカメラ３０をそれぞれ関連付けて記憶部１０３に書き込んで登録する。例えば人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、赤外線センサ３１３とも関連付けて登録される。また、人感センサ４０Ａと、煙センサ４０Ｃと開閉センサ４０Ｄとは、いずれも宅内８に設置されているので、屋内カメラ３０Ａとそれぞれ関連付けて登録される。
【００３１】
図３は、本実施形態の監視カメラシステム５における子機２０の内部構成の一例を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。
【００３２】
また、子機２０は、ＤＥＣＴプロトコル制御部２４９と、ＤＥＣＴ無線Ｉ／Ｆ部２４８とを有し、ＤＥＣＴの無線通信方式を用いて親機１０、センサ４０及びカメラ３０との間でそれぞれの無線接続、無線通信を行う。
【００３３】
また、子機２０は、音声バス２５５と、音声入出力制御部２４３と、スピーカ２５２と、マイク２５１とを有し、外部（例えば外部の固定電話機８００）に対して音声の入出力を行って通話する。
【００３４】
図４は、本実施形態の監視カメラシステム５におけるカメラ３０の内部構成の一例を示すブロック図である。カメラ３０の一例としての屋内カメラ３０Ａ及び監視カメラ３０Ｂは、いずれもほぼ同じ仕様を有する。カメラ３０は、制御部３０９と、記憶部３０３と、操作部３０５とを含む構成である。カメラ３０は、撮像に関する動作を行うとともに、入力操作を受け付ける。
【００３５】
また、カメラ３０は、ＤＥＣＴプロトコル制御部３１７と、ＤＥＣＴ無線Ｉ／Ｆ部３１８とを有し、ＤＥＣＴの無線通信方式を用いて親機１０と無線接続、無線通信を行う。
【００３６】
また、カメラ３０は、無線ＬＡＮ制御部３２１と、無線ＬＡＮ通信Ｉ／Ｆ部３２２とを有し、無線ＬＡＮで接続された無線ルータ６０を介して親機１０、スマートフォン５０等と画像データ及び音声データを送受信する。
【００３７】
また、カメラ３０は、音声バス３０７と、音声入出力制御部３０４と、スピーカ３２９と、マイク３２８とを有し、外部（例えば子機２０Ａ，２０Ｂ）に対して音声の入出力を行って通話する。
【００３８】
また、カメラ３０は、撮像部３１２と、画像メモリ制御部３１６と、画像メモリ３１５とを有し、撮像部３１２で撮像された画像データを画像メモリ３１５に記憶する。撮像部３１２は、レンズ及び撮像素子（例えばＣＣＤ（Charged Coupled Device）、又はＣＭＯＳ（Complementary Metal Oxide Semiconductor）等のイメージセンサ）を有する。
【００３９】
カメラ３０は、人感センサとして、ＰＩＲ（Passive Infra Red）センサである赤外線センサ（集電センサ）３１３を一体に内蔵する。赤外線センサ３１３は、人（人物）が発する熱（赤外線）の変化を検出して人の存在を感知する。カメラ３０は、例えば商用交流電源又は直流電源により構成される電源部３１４を有する。
【００４０】
図５は、本実施形態の監視カメラシステム５におけるセンサ４０の内部構成の一例を示すブロック図である。センサ４０は、制御部４４７と、記憶部４４２と、表示ランプ４４５とを含む構成である。センサ４０は、対象（例えば侵入者。以下同様。）を検出した場合に、表示ランプ４４５を点灯する等、所定の検出動作を行う。
【００４１】
また、センサ４０は、ＤＥＣＴプロトコル制御部４４９と、ＤＥＣＴ無線Ｉ／Ｆ部４４８とを有し、ＤＥＣＴの無線通信方式を用いて親機１０と無線接続、無線通信を行い、対象を検出すると、センサ検出情報を親機１０に送る。
【００４２】
センサ部４５３は、センサ４０の種類によって異なる。例えば人感センサ４０Ａ，４０Ｂの場合、センサ部４５３は、赤外線の変化によって人を感知するＰＩＲセンサである。窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。
【００４３】
充電池４５０は、充電可能な電池であり、センサ４０の各部に必要な電力を供給する。
【００４４】
図６は、本実施形態の監視カメラシステム５におけるスマートフォン５０の内部構成の一例を示すブロック図である。スマートフォン５０は、制御部５０６と、記憶部５０４と、表示／操作部（タッチパネル）５０３とを含む構成である。スマートフォン５０は、各種の入力操作を受け付け、タッチパネル５０３に画像等の情報を表示する。制御部５０６は、後述するように、カメラ３０の機能やセンサーライト９０の設定情報（例えば図１０参照）やシナリオを設定可能な監視機能制御部５１４を内蔵する。タッチパネル５０３は、表示部及び操作部が一体化された表示入力部であり、画面に画像やアイコン等の情報を表示したり、センサーライト９０の設定情報の生成画面（不図示）やシナリオの設定画面（不図示）を表示したりするとともに、使用者による画面へタップ操作（又はタッチ操作）を受け付ける。
【００４５】
また、スマートフォン５０は、３Ｇ／４Ｇプロトコル制御部５０２と、３Ｇ／４Ｇ無線Ｉ／Ｆ部５０１とを有し、３Ｇ（第３世代）や４Ｇ（第４世代）の無線通信方式を用いて、携帯電話網７５に接続された携帯電話機７０や他のスマートフォンと無線接続、無線通信を行う。
【００４６】
また、スマートフォン５０は、音声バス５１５と、音声入出力制御部５０５と、スピーカ５１３と、マイク５１２とを有し、外部に対して音声の入出力を行う。
【００４７】
また、スマートフォン５０は、無線ＬＡＮ制御部５０７と、無線ＬＡＮ通信Ｉ／Ｆ部５０８とを有し、無線ＬＡＮで接続された無線ルータ６０を介して親機１０、カメラ３０等と画像データ及び音声データを送受信する。また、スマートフォン５０は、スマートフォン５０を操作するユーザの入力操作があると、その操作による信号を受けて、無線ルータ６０及び親機１０を介して、センサーライト９０、スマートプラグ８０等の各種の設定情報を新規に作成したり、その設定情報を任意に変更したりすることが可能である。
【００４８】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００４９】
図７は、本実施形態の監視カメラシステム５におけるスマートプラグ８０の内部構成の一例を示すブロック図である。スマートプラグ８０は、制御部８４７、記憶部８４２、及び表示ランプを備えた表示部８４５を有する。記憶部８４２には、スマートプラグ８０が親機１０との間でＤＥＣＴを用いた無線通信を行うことで設定又は変更が可能なＯＮ／ＯＦＦ条件に関するスケジュール設定情報が登録される。
【００５０】
また、スマートプラグ８０は、ＤＥＣＴプロトコル制御部８４９、及びＤＥＣＴ無線Ｉ／Ｆ部８４８を有し、ＤＥＣＴの無線通信方式を用いて親機１０と無線通信による接続を行い、この無線通信による接続を介して送信される信号（つまり、親機１０からの切替制御信号）に従って、個々のスマートプラグ８０に接続される各電気機器（例えばエアーコンディショナ、照明器具、カメラ３０、センサ４０）へ商用交流電源又は直流電源の供給又は遮断を切り替える。
【００５１】
また、スマートプラグ８０は、スイッチ部８５０を有する。スイッチ部８５０は、例えば宅内８の配電盤（不図示）から接続された宅内８の各種の位置（例えばダイニングルーム、リビングルーム、ベッドルーム等の位置）に表出されたコンセント端子（不図示）に接続されるプラグ端子８５１と電気機器に接続されるコンセント端子８５２との間で、電源としての電力の供給線の接続又は遮断を行う。スイッチ部８５０は、例えばソレノイドコイル８５３によって駆動され、ソレノイドコイル８５３に交流電源からの駆動電流を流すことによってスイッチ部８５０を閉結し、プラグ端子８５１とコンセント端子８５２との間を導通させる。また、スイッチ部８５４は、制御部８４７の制御によってソレノイドコイル８５３に流す駆動電流をＯＮ／ＯＦＦさせる。
【００５２】
プラグ端子８５１とスイッチ部８５０との間には電流検出素子８５５が設けられ、プラグ端子８５１とコンセント端子８５２の間で電流が流れると、電流検出素子８５５が検知し、検知信号を制御部８４７へ送る。制御部８４７は、例えば操作部８４１からの入力操作があると、電流検出素子８５５からの検知信号を受けた場合に電気機器への電力を供給している量（電力供給量）を表示部８４５に表示する。
【００５３】
制御部８４７は、例えばユーザの操作に基づくスマートフォン５０からの指示により親機１０からスマートプラグ８０の動作モードの指示信号がＤＥＣＴ無線Ｉ／Ｆ部８４８において受信された場合には、プラグ端子８５１とコンセント端子８５２との間を導通させるための切替制御信号をスイッチ部８５４に出力する。これにより、プラグ端子８５１とコンセント端子８５２との間が導通する。一方、制御部８４７は、例えばユーザの操作に基づくスマートフォン５０からの指示により親機１０からスマートプラグ８０の動作停止モードの指示信号がＤＥＣＴ無線Ｉ／Ｆ部８４８において受信された場合には、プラグ端子８５１とコンセント端子８５２との間を非導通させるための切替制御信号をスイッチ部８５４に出力する。これにより、プラグ端子８５１とコンセント端子８５２との間が非導通となる。
【００５４】
また、制御部８４７は、記憶部８４２に記憶されているスケジュール設定情報を参照し、スケジュール設定情報に含まれる動作モードの時間になると、プラグ端子８５１とコンセント端子８５２との間を導通させるための切替制御信号をスイッチ部８５４に出力する。これにより、プラグ端子８５１とコンセント端子８５２との間が導通する。なお、動作モードの時間中では、例えばユーザの操作に基づくスマートフォン５０からの指示により親機１０から送信された動作停止モードの指示信号がＤＥＣＴ無線Ｉ／Ｆ部８４８において受信されない限り、プラグ端子８５１とコンセント端子８５２との間の導通状態は維持される。
【００５５】
一方、制御部８４７は、記憶部８４２に記憶されているスケジュール設定情報を参照し、スケジュール設定情報に含まれる動作停止モードの時間になると、プラグ端子８５１とコンセント端子８５２との間を非導通させるための切替制御信号をスイッチ部８５４に出力する。これにより、プラグ端子８５１とコンセント端子８５２との間が非導通となる。なお、動作停止モードの時間中では、例えばユーザの操作に基づくスマートフォン５０からの指示により親機１０から送信された動作モードの指示信号がＤＥＣＴ無線Ｉ／Ｆ部８４８において受信されない限り、プラグ端子８５１とコンセント端子８５２との間の非導通状態は維持される。
【００５６】
図８は、本実施形態のセンサーライト９０の内部構成の一例を示すブロック図である。センサーライト９０は、プロセッサ９０１と、ＤＥＣＴ無線Ｉ／Ｆ部９０２と、ＤＥＣＴプロトコル処理部９０３と、メモリ９０４と、照度センサ９０５と、動作センサ９０６と、ライト９０７と、電池９０８とを含む構成を有する。
【００５７】
プロセッサ９０１は、ＤＥＣＴ無線Ｉ／Ｆ部９０２及びＤＥＣＴプロトコル処理部９０３を用いて、ＤＥＣＴの無線通信方式を用いて親機１０と無線接続、無線通信を行う。センサーライト９０は、親機１０との間で無線通信を行うことで、各種のセンサ４０、スマートフォン５０、スマートプラグ８０等の機器と接続可能である。
【００５８】
また、プロセッサ９０１は、点灯時間計測タイマ９０１ｚ及び消灯遅延時間計測タイマ９０１ｙを内蔵する。点灯時間計測タイマ９０１ｚは、ライト９０７の点灯時間Ｔａを計測する。消灯遅延時間計測タイマ９０１ｙは、消灯遅延時間Ｔｄを計測する。消灯遅延時間Ｔｄは、動作センサ９０６によって移動体（例えば人物）の動きが検知されなくなってからライト９０７を消灯させるまでの移動体の非検知状態の継続時間を示す。プロセッサ９０１は、後述するように、消灯遅延時間計測タイマ９０１ｙによって計測される消灯遅延時間Ｔｄの測定値と、メモリ９０４に記憶された消灯遅延時間の設定値Ｔｄｍとを比較し、この比較結果に応じて、ライト９０７の点灯／消灯を制御する。
【００５９】
本実施形態では、消灯遅延時間の設定値Ｔｄｍは、例えば２通りの方法で設定可能である。第１の設定方法では、プロセッサ９０１は、消灯遅延時間テーブル１７０（図１１参照）を予めメモリ９０４に記憶しておき、この消灯遅延時間テーブル１７０を参照し、ライト９０７の点灯時間の設定値Ｔａｍに対応する消灯遅延時間の設定値Ｔｄｍを読み出して取得する。
【００６０】
また、第２の設定方法では、プロセッサ９０１は、ライト９０７の点灯時間Ｔａを計測し、この計測された点灯時間Ｔａの所定割合（例えば点灯時間Ｔａの計測値の１０％）を計算し、この計算した値を消灯遅延時間の設定値Ｔｄｍとして設定する。なお、この所定割合は、１０％に限らず、５％，２０％等、任意の値に設定可能である。
【００６１】
また、消灯遅延時間の設定値Ｔｄｍは、スマートフォン５０を操作するユーザの設定入力により、親機１０を介してセンサーライト９０に設定されてもよい。例えばスマートフォン５０を操作するユーザの設定操作により入力された消灯遅延時間の設定値Ｔｄｍの情報がスマートフォン５０から親機１０に対して送信されると、消灯遅延時間の設定値Ｔｄｍの情報が親機１０において受信される。その後、親機１０は、センサーライト９０に消灯遅延時間の設定値Ｔｄｍの情報を送信する。センサーライト９０は、消灯遅延時間の設定値Ｔｄｍの情報を受信すると、メモリ９０４に書き込むことで設定を完了することができる。
【００６２】
また、例えばライト９０７の点灯時間の設定値Ｔａｍが２０秒であったが点灯していた点灯時間Ｔａが７０秒を経過した時に、ようやく人物の動きが検知されなくなり、その後消灯遅延時間の間に非検知状態が継続した場合を想定する。この場合、第１の設定方法では、消灯遅延時間テーブル１７０を参照すると、消灯遅延時間の設定値Ｔｄｍは５秒である。一方、第２の設定方法では、点灯時間Ｔａの計測値の１０％として、消灯遅延時間の設定値Ｔｄｍは７秒である。従って、第１の設定方法ではライト９０７は合計７５秒間点灯し、一方、第２の設定方法ではライト９０７は合計７７秒間点灯する。つまり、第１の設定方法で消灯遅延時間の設定値Ｔｄｍが設定される場合、第２の設定方法で設定される場合に比べて、ライト９０７が点灯する時間は２秒縮まり、バッテリ駆動のセンサーライト９０にとっては消費電力が低減する点でより好ましい。一方で、第２の設定方法で設定される場合には、第１の設定方法で設定される場合に比べて２秒間長くライト９０７が点灯するので、ライト９０７の点灯時間を一定程度確保する観点ではより好ましいともいえる。
【００６３】
また、例えばライト９０７の点灯時間の設定値Ｔａｍが２０秒であったが点灯していた点灯時間Ｔａが２０秒を経過した時に、ようやく人の動きが検知されなくなり、その後消灯遅延時間の間に非検知状態が継続した場合を想定する。この場合、第１の設定方法では、消灯遅延時間テーブル１７０を参照すると、消灯遅延時間の設定値Ｔｄｍは５秒である。一方、第２の設定方法では、点灯時間Ｔａの計測値の１０％として、消灯遅延時間の設定値Ｔｄｍは２秒である。従って、第１の設定方法ではライト９０７は合計２５秒間点灯し、一方、第２の設定方法ではライト９０７は合計２２秒間点灯する。つまり、第１の設定方法と第２の設定方法のいずれで消灯遅延時間の設定値Ｔａｍを設定すれば良いかは、人の動きが検知されなくなった時点までのライト９０７の点灯時間Ｔａの長短に依存する。なお、第１の設定方法と第２の設定方法とのうちいずれかの設定方法により、消灯遅延時間の設定値Ｔａｍが設定される。
【００６４】
消灯遅延時間の設定値Ｔｄｍを設定する方法として、第１の設定方法／第２の設定方法は、センサーライト９０に内蔵された操作スイッチ（図示せず）、或いは親機１０を介してスマートフォン５０によって選択可能である。
【００６５】
ライト９０７は、例えば光源である白色ＬＥＤと、この白色ＬＥＤから投射される光を前方に反射するリフレクタとで構成される。なお、光源としては、白色ＬＥＤに限らず、白色以外のカラーＬＥＤ、白熱灯、蛍光灯、ハロゲンランプ、キセノンランプ等であってもよい。本実施形態では、例えば消費電力が少なく、かつ、自然光に近い白色ＬＥＤを用いる。
【００６６】
メモリ９０４は、プロセッサ９０１が実行する制御プログラムや各種データを記憶する。各種データには、後述する設定情報テーブル１６０、消灯遅延時間テーブル１７０等が含まれる。
【００６７】
センサの一例としての照度センサ９０５は、周囲の明るさを感知するものであり、人間の眼が感じる光の波長に近い波長の領域の光を感知する、つまり人間の眼に近い分光感度特性を有するフォトダイオードである。なお、照度センサには、イメージセンサを用いてもよく、この場合、イメージセンサの各画素の輝度値から照度を得るとともに、全画素の輝度値から画像を取得することも可能である。
【００６８】
センサの一例としての動作センサ９０６は、ＬＥＤ及びフォトダイオードを有し、監視エリアに向けてＬＥＤから近赤外光を照射し、フォトダイオードでその反射光を受光し、反射光の変化に基づき、人物の動きを検知する。なお、ここでは、移動体の一例として、人物の動きを検知していたが、人物に限らず、犬、猫等の動物や、小型若しくは大型の車両やロボット等の構造物の動きを検知してもよい。また、ここでは、近赤外光を照射したが、可視光、紫外光等を照射し、その反射光の変化から、移動体の動きを検知してもよい。また、光を照射する代わりに、超音波を照射し、その反射波から移動体の動きを検知してもよい。また、動作センサは、移動体の動きを検知していたが、動きが極端に小さいと予想される移動体の場合には、移動体が動かなくてもその存在を検知できるものであってもよく、例えば、動作センサとして、人体が発する赤外光を感知する、人感センサとして、ＰＩＲ（Passive Infra Red）センサである赤外線センサ（焦電センサ）を用いてもよい。集電センサを用いた場合、ＬＥＤのように発光しないので、省電力化が図られる。
【００６９】
電池９０８は、センサーライト９０の電源として用いられる、例えば４本の単１乾電池である。なお、電池としては、マンガン乾電池、アルカリ乾電池等の一次電池だけでなく、ニッケル水素バッテリ、リチウムイオン電池、鉛バッテリ等の充電可能な二次電池を用いてもよい。また、本実施形態では、センサーライト９０の電源として、電池を用いたが、電池の代わりに、商用交流電源に接続され、商用交流を変換して所定の電圧を出力する電源装置を内蔵してもよい。
【００７０】
図９は、本実施形態のセンサーライト９０の外観の一例を示す斜視図である。センサーライト９０は、ライト本体９１と、連結部９２と、台座９３とを有する。ライト本体９１は、図８に示す各部の電子部品が実装された基板を内蔵する。ライト本体９１の前面には、監視エリアに向けて照射可能なライト９０７が配置される。また、ライト本体９１の前面には、照度センサ９０５及び動作センサ９０６が配置されている。
【００７１】
台座９３は、連結部９２を介してライト本体９１を支持する矩形板である。矩形板は、４つの角部が丸い形状（Ｒ形状）を有する。台座９３の四隅には、ねじが挿通される孔９３ｚがそれぞれ穿設されている。
【００７２】
連結部９２は、ライト本体９１と台座９３とを連結し、台座９３に対してライト本体９１の向きを手動で段階的に調整可能なヒンジ機構を有する。台座９３を任意の角度を有する面（例えば、水平な面、垂直な面、傾斜した面）を持つ部材に取り付けても、ヒンジ機構を調節することで、ライト本体９１の前面を監視エリアの所望の方向に向けることができる。本実施形態では、センサーライト９０は、家の外壁１５０に取り付けられる。この取り付けでは、台座９３に設けられた４ヶ所の孔９３ｚにねじ９４を通して締め付けることで、センサーライト９０の台座９３は外壁１５０に固定される。取り付け後、ライト９０７が監視エリア（例えば、玄関前、庭、ガレージ等）を照明できるように、連結部９２を手動で動かし、ライト本体９１の向きを調節する。なお、センサーライトの取付場所は、宅外である家の外壁に限らず、ベランダ、門、支柱等であってもよいし、宅内の物置等であってもよい。
【００７３】
上記構成を有する監視カメラシステム５におけるセンサーライト９０の動作について説明する。
【００７４】
始めに、センサーライト９０の動作に必要なデータとして、メモリ９０４に記憶されている設定情報テーブル１６０及び消灯遅延時間テーブル１７０について説明する。
【００７５】
図１０は、本実施形態のセンサーライト９０における設定情報テーブル１６０の登録内容の一例を示す図である。設定情報テーブル１６０は、例えば製造時等において、センサーライト９０のメモリ９０４に予め記憶されている。なお、設定情報テーブル１６０の登録内容は、センサーライト９０に搭載された操作スイッチ（不図示）により変更されてもよいし、ユーザのスマートフォン５０の操作によって親機１０を介して書き換えられてもよい。
【００７６】
設定情報テーブル１６０には、ライト点灯時間、ライト点灯パターン、ライト点灯輝度、照度センサ感度、及び動作センサ感度の項目が登録されている。「ライト点灯時間」の項目には、動作センサ９０６で人物等の動きを検知した時、ライト９０７を点灯する時間、つまり予め設定された点灯時間の設定値Ｔａｍが設定されている。この設定範囲は０秒〜３分であり、点灯時間の設定値Ｔａｍの初期値は「２０秒」である。
【００７７】
「ライト点灯パターン」の項目には、ライト９０７を点灯する場合の光り方として、点灯又は点滅が設定されている。初期値は「点灯」に設定される。「ライト点灯輝度」の項目には、ライト９０７を点灯する場合の明るさが設定されている。この設定範囲は１００〜３００ルーメンである。初期値は「３００ルーメン」である。
【００７８】
「照度センサ感度」の項目には、昼間等の明るい時に、動作センサ９０６が人の動きを検知しても、光らないようにするための照度センサ９０５の感度が設定されている。この設定範囲には、「明るい」（「普通」と比べて、少し明るくても、点灯を始める）、「普通」（薄暗い時から、点灯を始める）、「暗い」（「普通」と比べて、少し暗くなってから、点灯を始める）の３段階の設定が含まれる。初期値は「普通」である。
【００７９】
「動作センサ感度」の項目には、動作センサの検知感度が設定されている。この設定範囲には、「高」（「中」と比べて、少しの動作でも反応しやすくなる）、「中」（適度な反応）、「低」（「中」と比べて、反応しにくくなる）、「極低」（「中」と比べて、さらに反応しにくくなる）の４段階の設定が含まれる。初期値は「中」である。
【００８０】
なお、設定情報テーブル１６０に登録される項目としては、これら５つの項目に限定されず、他の項目、例えば天候（雨天は常に消灯）に応じた設定変更、一日当たりの点灯回数の制限値、点滅時の点滅周期、点灯時の輝度変化パターン等が含まれてもよい。
【００８１】
図１１は、本実施形態のセンサーライト９０における消灯遅延時間テーブル１７０の登録内容の一例を示す図である。消灯遅延時間テーブル１７０は、センサーライト９０のメモリ９０４に予め記憶されている。なお、消灯遅延時間テーブル１７０の登録内容は、センサーライト９０に搭載された操作スイッチにより変更されてもよいし、ユーザのスマートフォン５０の操作によって親機１０を介して書き換えられてもよい。
【００８２】
消灯遅延時間テーブル１７０には、ユーザにより設定されたライト９０７の点灯時間の設定値Ｔａｍに対応する消灯遅延時間の設定値Ｔｄｍが登録されている。具体的には、点灯時間の設定値Ｔａｍが１分未満である場合、消灯遅延時間の設定値Ｔｄｍは５秒である。また、点灯時間の設定値Ｔａｍが１分以上である場合、消灯遅延時間の設定値Ｔｄｍは１０秒である。これらの値は一例であり、任意の値に設定可能である。
【００８３】
図１２は、本実施形態のセンサーライト９０におけるライト消灯中の動作手順の一例を説明するフローチャートである。この動作は、ライト９０７が消灯中、センサーライト９０のプロセッサ９０１によって繰り返し実行される。
【００８４】
図１２において、プロセッサ９０１は、動作センサ９０６によって人の動きが検知されたか否かを判別する（Ｓ１）。人の動きが検知されない場合（Ｓ１、ＮＯ）、プロセッサ９０１は、ステップＳ１の処理を繰り返す。
【００８５】
一方、人の動きが検知された場合（Ｓ１、ＹＥＳ）、プロセッサ９０１は、周囲が設定値より明るいか否か、つまり、照度センサ９０５によって検知される照度が設定情報テーブル１６０の設定値（「明るい」、「普通」、「暗い」）の条件を満たすか否かを判別する（Ｓ２）。周囲が設定値より明るい場合（Ｓ２、ＹＥＳ）、プロセッサ９０１の処理はステップＳ１に戻り、同様の処理が繰り返される。
【００８６】
一方、周囲が設定値より暗い場合（Ｓ２、ＮＯ）、プロセッサ９０１は、ライト９０７を点灯する（Ｓ３）。さらに、プロセッサ９０１は、点灯時間計測タイマ９０１ｚをスタートさせ、点灯時間Ｔａの計測を開始する（Ｓ４）。この後、プロセッサ９０１は、消灯中の処理を終了し、図１３に示す点灯中の処理に移行する。
【００８７】
図１３は、本実施形態のセンサーライト９０におけるライト点灯中の動作手順の一例を説明するフローチャートである。この動作は、ライト９０７が点灯中、センサーライト９０のプロセッサ９０１によって繰り返し実行される。
【００８８】
図１３において、プロセッサ９０１は、動作センサ９０６によって人の動きが検知されているか否かを判別する（Ｓ１１）。人の動きが検知されている場合（Ｓ１１、ＹＥＳ）、プロセッサ９０１は、ステップＳ１１の処理を繰り返す。
【００８９】
一方、人の動きが検知されなくなった場合（Ｓ１１、ＮＯ）、プロセッサ９０１は、消灯遅延時間計測タイマ９０１ｙを起動し、消灯遅延時間Ｔｄの計測を開始する（Ｓ１２）。プロセッサ９０１は、消灯遅延時間の設定値Ｔｄｍを計算する（Ｓ１３）。この消灯遅延時間の設定値Ｔｄｍの計算では、例えば前述した第１の設定方法に従い、消灯遅延時間テーブル１７０を参照し、点灯時間の設定値Ｔａｍに対応する消灯遅延時間の設定値Ｔｄｍ（ここでは、５秒又は１０秒）がプロセッサ９０１によって取得される。なお、プロセッサ９０１は、第２の設定方法を用いて、消灯遅延時間の設定値Ｔｄｍを取得してもよい。
【００９０】
プロセッサ９０１は、動作センサ９０６によって人の動きが再び検知されたか否かを判別する（Ｓ１４）。人の動きが検知された場合（Ｓ１４、ＹＥＳ）、ステップＳ１１において検知されなくなった人又は別の人の動きが検知されたことになる。このため、プロセッサ９０１は、消灯遅延時間計測タイマ９０１ｙの計測を停止し、その計測値を値０にリセットする（Ｓ１５）。そして、プロセッサ９０１の処理はステップＳ１１に戻る。
【００９１】
一方、ステップＳ１４で動作センサ９０６によって人の動きが検知されなかった場合（Ｓ１４、ＮＯ）、プロセッサ９０１は、消灯遅延時間計測タイマ９０１ｙによって計測される消灯遅延時間Ｔｄが、ステップＳ１３で取得（計算）された消灯遅延時間の設定値Ｔｄｍ以上であるか否かを判別する（Ｓ１６）。消灯遅延時間Ｔｄが消灯遅延時間の設定値Ｔｄｍ未満である場合（Ｓ１６、ＮＯ）、プロセッサ９０１の処理はステップＳ１４に戻る。
【００９２】
一方、消灯遅延時間Ｔｄが消灯遅延時間の設定値Ｔｄｍ以上である場合（Ｓ１６、ＹＥＳ）、プロセッサ９０１は、点灯時間計測タイマ９０１ｚによって計測された点灯時間Ｔａの計測値が、設定情報テーブル１６０に登録されている点灯時間の設定値Ｔａｍ以上であるか否かを判別する（Ｓ１７）。点灯時間Ｔａの計測値が点灯時間の設定値Ｔａｍ未満である場合（Ｓ１７、ＮＯ）、プロセッサ９０１の処理はステップＳ１４に戻る。
【００９３】
一方、点灯時間Ｔａの計測値が点灯時間の設定値Ｔａｍ以上である場合（Ｓ１７、ＹＥＳ）、プロセッサ９０１は、点灯時間計測タイマ９０１ｚの計測を停止し、その計測値を値０にリセットし（Ｓ１８）、消灯遅延時間計測タイマ９０１ｙの計測を停止し、その計測値を値０にリセットする（Ｓ１９）そして、プロセッサ９０１は、ライト９０７を消灯する（Ｓ２０）。この後、プロセッサ９０１は、点灯中の処理を終了し、消灯中の処理に移行する。
【００９４】
以上により、本実施形態のセンサーライト９０では、動作センサ９０６が人の動きを検知すると、プロセッサ９０１はライト９０７を点灯させる。ライト９０７は、点灯すると監視エリアを照明する。プロセッサ９０１は、ライト９０７の点灯時間Ｔａの計測を開始する。その後、プロセッサ９０１は、人の動きが検知されなくなった場合に消灯遅延時間Ｔｄの計測を開始するとともに、ライト９０７の点灯時間の設定値Ｔａｍに応じた消灯遅延時間の設定値Ｔｄｍを取得する。プロセッサ９０１は、消灯遅延時間Ｔｄの計測値が消灯遅延時間の設定値Ｔｄｍを超え、かつ、ライト９０７の点灯時間Ｔａの計測値が点灯時間の設定値Ｔａｍを超えた場合に、ライト９０７を消灯させる。
【００９５】
これにより、ある程度の期間においてライト９０７を点灯することと、センサーライト９０の消費電力の増大を抑制してできるだけライト９０７を消灯することとを両立することができる。また、センサーライト９０が人の動きを検知して点灯した後、設定された点灯時間が経過した時に人の動きが検知されなくなっても、すぐさま消灯してしまうことを防止することができる。
【００９６】
また、センサーライト９０は、消灯遅延時間の設定値Ｔｄｍをライト９０７の点灯時間の設定値Ｔａｍと対応付けて記憶するメモリ９０４を備える。プロセッサ９０１は、ライト９０７の点灯時間の設定値Ｔａｍを元に、メモリ９０４に記憶された消灯遅延時間の設定値Ｔｄｍを読み出す。ライト９０７の点灯時間の設定値Ｔａｍに対応した消灯遅延時間の設定値Ｔｄｍを予めメモリ９０４に記憶しておくことで、消灯遅延時間の設定値Ｔｄｍの取得が容易になる。
【００９７】
また、消灯遅延時間の設定値Ｔｄｍは、ライト９０７の点灯時間の設定値Ｔａｍの長短に応じてそれぞれ長短となる時間に設定される。これにより、ライト９０７の点灯時間の設定値Ｔａｍが長い程長くなるように、又は短い程短くなるように消灯遅延時間の設定値Ｔｄｍ（つまり、人の動きが検知されなくなってから消灯するまでの人の非検知状態の継続時間）を可変することができる。従って、点灯時間の設定値Ｔａｍが長い程、消灯遅延時間の設定値Ｔｄｍが長くなるので、センサーライト９０に予め設定された時間の点灯が終わり、人が居なくなった後もそれまでの点灯時間に合わせて十分に遅らせてから消灯させることができる。また、点灯時間の設定値Ｔａｍが短い程、消灯遅延時間の設定値Ｔｄｍが短くなるので、センサーライト９０がバッテリ駆動である場合、電池の残量の低下を抑えることができるうえに、仮にライト９０７が点灯時間の設定値Ｔａｍを超えて十分長く点灯した場合、人の動きが検知されなくなってから短い消灯遅延時間の設定値の期間において非検知状態が継続すればすぐに消灯するので、センサーライト９０の消費電力の増大を抑制することができる。
【００９８】
また、プロセッサ９０１は、人の動きが検知されなくなった時点におけるライト９０７の点灯時間Ｔａの所定割合を消灯遅延時間の設定値Ｔｄｍとして取得する。これにより、プロセッサ９０１は、ライト９０７の点灯時間の長さを考慮した消灯遅延時間の設定値Ｔｄｍを設定することができる。
【００９９】
また、プロセッサ９０１は、消灯遅延時間Ｔｄの計測値が消灯遅延時間の設定値Ｔｄｍを超えたと判断した後、ライト９０７の点灯時間Ｔａの計測値が点灯時間の設定値Ｔａｍを超えたか否かを判断する。これにより、点灯時間Ｔａが終了した時に人の動きが検知されなくなっても、ライト９０７はさらに消灯遅延時間の設定値Ｔｄｍだけ点灯し続けなくて済む。つまり、それまでの点灯時間Ｔａに消灯遅延時間の設定値Ｔｄｍをプラスして点灯し続けることを回避でき、バッテリ駆動（つまり、電池駆動）のセンサーライト９０における電力消費の無駄を省くことができる。
【０１００】
以上、図面を参照しながら本実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１０１】
また、本発明は、上記した本実施形態のセンサーライトの機能を実現するプログラムを、ネットワーク或いは各種記憶媒体を介してセンサーライトに供給し、このセンサーライト内のプロセッサが読み出して実行するプログラム、さらに、そのプログラムが記録された記録媒体も適用範囲である。
【産業上の利用可能性】
【０１０２】
本発明は、ある程度の期間においてライトを点灯することと、消費電力の増大を抑制してできるだけ早くライトを消灯することを両立し、移動体の動きを検知して点灯する際、設定された点灯が終了する直前に人の動きが検知されなくなっても、すぐさま消灯してしまうことを防止することができるセンサーライトとして有用である。
【符号の説明】
【０１０３】
５  監視カメラシステム
８  宅内
１０  親機
１０ａ  差込口
２０、２０Ａ、２０Ｂ  子機
３０  カメラ
３０Ａ  屋内カメラ
３０Ｂ  監視カメラ
４０、４０Ａ、４０Ｂ、４０Ｃ、４０Ｄ  センサ
５０  スマートフォン
６０  無線ルータ
６５  インターネット
７０  携帯電話機
７５  携帯電話網
８０  スマートプラグ
８５  固定電話網
９０  センサーライト
９１  ライト本体
９２  連結部
９３  台座
９３ｚ  孔
９４  ねじ
１０１  固定電話回線Ｉ／Ｆ部
１０３、２４２、３０３、４４２、５０４、８４２  記憶部
１０４、２４３、３０４、５０５  音声入出力制御部
１０５、２４４、３０５、８４１  操作部
１０６、２４５、８４５  表示部
１０７、２４８、３１８、４４８、８４８、９０２  ＤＥＣＴ無線Ｉ／Ｆ部
１０８、２４９、３１７、４４９、８４９  ＤＥＣＴプロトコル制御部
１０９、２４７、３０９、４４７、５０６、８４７  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
１５０  外壁
１６０  設定情報テーブル
１７０  消灯遅延時間テーブル
２５０、５５０  ２次電池
３１２  撮像部
３１３  赤外線センサ
３１４  電源部
３１５  画像メモリ
３１６  画像メモリ制御部
４４５  表示ランプ
４５０  充電池
４５３  センサ部
５０１  ３Ｇ／４Ｇ無線Ｉ／Ｆ部
５０２  ３Ｇ／４Ｇプロトコル制御部
５０３  表示／操作部（タッチパネル）
５１１  ＵＳＢ通信Ｉ／Ｆ部
５１４  監視機能制御部
８００  固定電話機
８５１  プラグ端子
８５２  コンセント端子
８５３  ソレノイドコイル
８５０、８５４  スイッチ部
８５５  電流検出素子
９０１  プロセッサ
９０１ｙ  消灯遅延時間計測タイマ
９０１ｚ  点灯時間計測タイマ
９０３  ＤＥＣＴプロトコル処理部
９０４  メモリ
９０５  照度センサ
９０６  動作センサ
９０７  ライト
９０８  電池
【図１】
0006624374.tif 000002
【図２】
0006624374.tif 000003
【図３】
0006624374.tif 000004
【図４】
0006624374.tif 000005
【図５】
0006624374.tif 000006
【図６】
0006624374.tif 000007
【図７】
0006624374.tif 000008
【図８】
0006624374.tif 000009
【図９】
0006624374.tif 000010
【図１０】
0006624374.tif 000011
【図１１】
0006624374.tif 000012
【図１２】
0006624374.tif 000013
【図１３】
0006624374.tif 000014